(57)【特許請求の範囲】
【請求項１】
洗浄水タンクから洗浄水を給水する水洗大便器であって、
洗浄水を吐出させるジェット孔がその底部に形成されたボール部と、
上記ジェット孔から給水すべき洗浄水を貯水するジェット用洗浄水タンクと、
このジェット用洗浄水タンクに設けられ、上記ジェット孔への洗浄水の供給と止水とを行うジェット用排水弁と、
このジェット用排水弁を通過した洗浄水を上記ジェット孔に導くジェット用導水路と、
上記ボール部の上部に設けられ、洗浄水を上記ボール部に流下させるリム部と、
上記リム部に供給される洗浄水を貯水するリム用洗浄水タンクと、
このリム用洗浄水タンクに設けられ、上記リム部への洗浄水の供給と止水とを行うリム用排水弁と、
このリム用排水弁を通過した洗浄水を上記リム部に導くリム用導水路と、
上記ジェット用洗浄水タンク内の水位が上記リム部上面の高さよりも低く設定された所定の水位になったとき給水を停止するように構成された給水バルブを有し、
上記ジェット用排水弁が、上記所定の水位よりも低い位置に配置されていることを特徴とする水洗大便器。
【請求項２】
洗浄水タンクから洗浄水を給水する水洗大便器であって、
洗浄水を吐出させるジェット孔がその底部に形成されたボール部と、
上記ジェット孔から給水すべき洗浄水を貯水するジェット用洗浄水タンクと、
このジェット用洗浄水タンクに設けられ、上記ジェット孔への洗浄水の供給と止水とを行うジェット用排水弁と、
このジェット用排水弁を通過した洗浄水を上記ジェット孔に導くジェット用導水路と、
上記ボール部の上部に設けられ、洗浄水を上記ボール部に流下させるリム部と、
上記リム部に供給される洗浄水を貯水するリム用洗浄水タンクと、
このリム用洗浄水タンクに設けられ、上記リム部への洗浄水の供給と止水とを行うリム用排水弁と、
このリム用排水弁を通過した洗浄水を上記リム部に導くリム用導水路と、
上記リム用洗浄水タンクの水位が所定の貯水高さよりも高くなったとき、上記所定の貯水高さを超えた分の洗浄水を上記リム用洗浄水タンクから上記ジェット用洗浄水タンクに洗浄水を移送する移送手段と、
上記リム用洗浄水タンクに給水を行い、上記ジェット用洗浄水タンクの水位が、上記リム用洗浄水タンクの貯水高さよりも低い位置に設定された所定の水位になったとき給水を停止するように構成された給水バルブと、
を有することを特徴とする水洗大便器。
【請求項３】
洗浄水タンクから洗浄水を給水するローシルエット形の水洗大便器であって、
洗浄水を吐出させるジェット孔がその底部に形成されたボール部と、
上記ジェット孔から給水すべき洗浄水を貯水するジェット用洗浄水タンクと、
このジェット用洗浄水タンクに設けられ、上記ジェット孔への洗浄水の供給と止水とを行うジェット用排水弁と、
このジェット用排水弁を通過した洗浄水を上記ジェット孔に導くジェット用導水路と、
上記ボール部の上部に棚状の水路として形成され、洗浄水を上記ボール部に旋回させながら流下させるリム部と、
上記リム部に供給される洗浄水を貯水するリム用洗浄水タンクと、
このリム用洗浄水タンクに設けられ、上記リム部への洗浄水の供給と止水とを行うリム用排水弁と、
このリム用排水弁を通過した洗浄水を分岐させ、上記リム部の第１リム吐水口及び第２リム吐水口に導くリム用導水路と、を有し、
上記ジェット用排水弁は、上記リム部上面の高さよりも低く、上記ジェット孔よりも高い位置に配置されており、
さらに、上記ジェット用洗浄水タンク内の水位が上記リム部上面の高さよりも低く設定された所定の水位になったとき給水を停止するように構成された給水バルブを有し、上記ジェット用排水弁が、上記所定の水位よりも低い位置に配置されていることを特徴とする水洗大便器。
【請求項４】
洗浄水タンクから洗浄水を給水するローシルエット形の水洗大便器であって、
洗浄水を吐出させるジェット孔がその底部に形成されたボール部と、
上記ジェット孔から給水すべき洗浄水を貯水するジェット用洗浄水タンクと、
このジェット用洗浄水タンクに設けられ、上記ジェット孔への洗浄水の供給と止水とを行うジェット用排水弁と、
このジェット用排水弁を通過した洗浄水を上記ジェット孔に導くジェット用導水路と、
上記ボール部の上部に棚状の水路として形成され、洗浄水を上記ボール部に旋回させながら流下させるリム部と、
上記リム部に供給される洗浄水を貯水するリム用洗浄水タンクと、
このリム用洗浄水タンクに設けられ、上記リム部への洗浄水の供給と止水とを行うリム用排水弁と、
このリム用排水弁を通過した洗浄水を分岐させ、上記リム部の第１リム吐水口及び第２リム吐水口に導くリム用導水路と、を有し、
上記ジェット用排水弁は、上記リム部上面の高さよりも低く、上記ジェット孔よりも高い位置に配置されており、
さらに、上記リム用洗浄水タンクの水位が所定の貯水高さよりも高くなったとき、上記所定の貯水高さを超えた分の洗浄水を上記リム用洗浄水タンクから上記ジェット用洗浄水タンクに洗浄水を移送する移送手段と、上記リム用洗浄水タンクに給水を行い、上記ジェット用洗浄水タンクの水位が、上記リム用洗浄水タンクの貯水高さよりも低い位置に設定された所定の水位になったとき給水を停止するように構成された給水バルブと、を有することを特徴とする水洗大便器。
【請求項５】
上記リム用洗浄水タンクが上記ジェット用洗浄水タンクよりも高い位置に配置され、上記移送手段が上記リム用洗浄水タンクの貯水高さに形成された切欠であり、この切欠から溢れ出た洗浄水が上記ジェット用洗浄水タンクに流入する請求項２又は４記載の水洗大便器。
【請求項６】
上記ジェット用洗浄水タンク、及び上記リム用洗浄水タンクが、上記ボール部、上記ジェット用導水路、上記リム部、及び上記リム用導水路と共に陶器で一体に構成されている請求項１乃至５の何れか１項に記載の水洗大便器。
【請求項７】
上記ジェット用洗浄水タンクが陶器で構成され、上記リム用洗浄水タンクが樹脂で構成されている請求項１乃至５の何れか１項に記載の水洗大便器。
【発明の詳細な説明】
【技術分野】
【０００１】  本発明は、水洗大便器に係り、特に、洗浄水を洗浄水タンクから供給する水洗大便器に関する。
【背景技術】
【０００２】  水道から供給された洗浄水を洗浄水タンクに溜め、このタンク内の洗浄水を流すことによってボール部を洗浄するタンク式の水洗大便器が広く普及している。ボール部上方のリム部及びジェット孔から洗浄水を吐水させることによってボール部を洗浄するこのタイプの水洗大便器では、洗浄水タンク内の洗浄水をリム部及びジェット孔に分岐させて供給している。即ち、洗浄操作により、洗浄水タンクの底部に設けられた排水弁が開かれると、洗浄水は、水洗大便器本体に形成された給水室に流入する。この給水室はリム導水路及びジェット導水路に連通しており、給水室に流入した洗浄水は、リム導水路及びジェット導水路に分岐して流れ、リム給水及びジェット給水が行われる。【０００３】  しかしながら、洗浄水タンクからの洗浄水を分岐させて給水を行う水洗大便器では、洗浄水を供給する導水路が複雑であるため、導水路の流路抵抗が大きくなる。このため、洗浄水タンクに溜められる洗浄水の水位を十分に高くしておき、導水路で圧力損失が生じても十分な水勢でジェット孔から洗浄水を吐出できるようにする必要がある。従って、このタイプの水洗大便器では、所謂ローシルエット形の水洗大便器を実現することが困難である。なお、本明細書においては、タンク上面の高さがリム部上面から約２００ｍｍ以下の水洗大便器をローシルエット形の水洗大便器と呼んでいる。【０００４】  特開平７−１８０２０２号公報（特許文献１）には、ジェット孔に給水するためのジェット用排水弁と、リム部に給水するためのリム用排水弁を設けた給水構造を備えた水洗大便器が記載されている。この水洗大便器では、ジェット用の排水弁とリム用の排水弁を別に設けることにより導水路を単純にして、導水路の流体抵抗を低減している。【０００５】
【特許文献１】特開平７−１８０２０２号公報
【発明の開示】
【発明が解決しようとする課題】
【０００６】  しかしながら、特開平７−１８０２０２号公報に記載の水洗大便器では、単一の洗浄水タンクに２つの排水弁を設けているため、ジェット孔への給水とリム部への給水が互いに干渉し合い、ジェット孔への給水量とリム部への給水量を適正な割合に設定することが困難である。このため、少ない洗浄水量で効果的な洗浄を行うことが難しいという問題がある。【０００７】  また、特開平７−１８０２０２号公報に記載の水洗大便器では、リム用の排水弁及びジェット用の排水弁を、少なくともリム部の射水孔よりも高い位置に配置する必要があるため、ローシルエットタイプの水洗大便器を設計することが困難であるという問題がある。【０００８】  従って、本発明は、洗浄水タンクから供給する洗浄水のジェット孔への給水量とリム部への給水量を独立に制御して少ない洗浄水量で効果的な洗浄を行うことができる水洗大便器を提供することを目的としている。
本発明は、洗浄水タンクを有する水洗大便器のローシルエット形を容易に実現することができる水洗大便器を提供することを目的としている。
【課題を解決するための手段】
【０００９】
本発明は、洗浄水タンクから洗浄水を給水する水洗大便器であって、洗浄水を吐出させるジェット孔がその底部に形成されたボール部と、ジェット孔から給水すべき洗浄水を貯水するジェット用洗浄水タンクと、このジェット用洗浄水タンクに設けられ、ジェット孔への洗浄水の供給と止水とを行うジェット用排水弁と、このジェット用排水弁を通過した洗浄水をジェット孔に導くジェット用導水路と、ボール部の上部に設けられ、洗浄水をボール部に流下させるリム部と、リム部に供給される洗浄水を貯水するリム用洗浄水タンクと、このリム用洗浄水タンクに設けられ、リム部への洗浄水の供給と止水とを行うリム用排水弁と、このリム用排水弁を通過した洗浄水をリム部に導くリム用導水路と、ジェット用洗浄水タンク内の水位がリム部上面の高さよりも低く設定された所定の水位になったとき給水を停止するように構成された給水バルブを有し、ジェット用排水弁が、所定の水位よりも低い位置に配置されていることを特徴としている。
【００１０】
このように構成された本発明においては、ジェット孔から吐出される洗浄水はジェット用洗浄水タンクからジェット用排水弁、ジェット用導水路を介して供給され、リム部から吐出される洗浄水はリム用洗浄水タンクからリム用排水弁、リム用導水路を介して供給される。
このように構成された本発明によれば、ジェット孔からの吐水とリム部からの吐水の吐水量、吐水を開始するタイミング等を容易に独立して設定することが可能になる。また、このように構成された本発明によれば、水洗大便器の詰まり等の原因により、ジェット用排水弁が閉鎖しなくなった場合にも、リム部上面の高さよりも低い水位でジェット用洗浄水タンク内への給水が停止されるので、洗浄水がボール部からリム部上面を越えて溢れ出すことがない。これにより、水洗大便器が設置された建築物の床等を汚損するのを防止することができる。
【００１１】
また、本発明は、洗浄水タンクから洗浄水を給水する水洗大便器であって、洗浄水を吐出させるジェット孔がその底部に形成されたボール部と、ジェット孔から給水すべき洗浄水を貯水するジェット用洗浄水タンクと、このジェット用洗浄水タンクに設けられ、ジェット孔への洗浄水の供給と止水とを行うジェット用排水弁と、このジェット用排水弁を通過した洗浄水を上記ジェット孔に導くジェット用導水路と、ボール部の上部に設けられ、洗浄水をボール部に流下させるリム部と、リム部に供給される洗浄水を貯水するリム用洗浄水タンクと、このリム用洗浄水タンクに設けられ、リム部への洗浄水の供給と止水とを行うリム用排水弁と、このリム用排水弁を通過した洗浄水をリム部に導くリム用導水路と、リム用洗浄水タンクの水位が所定の貯水高さよりも高くなったとき、所定の貯水高さを超えた分の洗浄水をリム用洗浄水タンクからジェット用洗浄水タンクに洗浄水を移送する移送手段と、リム用洗浄水タンクに給水を行い、ジェット用洗浄水タンクの水位が、リム用洗浄水タンクの貯水高さよりも低い位置に設定された所定の水位になったとき給水を停止するように構成された給水バルブと、を有することを特徴としている。
【００１２】
このように構成された本発明においては、ジェット孔から吐出される洗浄水はジェット用洗浄水タンクからジェット用排水弁、ジェット用導水路を介して供給され、リム部から吐出される洗浄水はリム用洗浄水タンクからリム用排水弁、リム用導水路を介して供給される。また、このように構成された本発明においては、洗浄水は、給水バルブを介して、まずリム用洗浄水タンクに供給される。次いで、リム用洗浄水タンク内の水位が上昇し、所定の貯水高さよりも水位が高くなると、リム用洗浄水タンクに供給された所定の貯水高さを超えた分の洗浄水は移送手段によってジェット用洗浄水タンクに移送される。移送手段から移送された洗浄水により、ジェット用洗浄水タンク内の水位が上昇し、所定の水位に到達すると、給水バルブは給水を停止する。
このように構成された本発明によれば、ジェット孔からの吐水とリム部からの吐水の吐水量、吐水を開始するタイミング等を容易に独立して設定することが可能になる。また、このように構成された本発明によれば、一つの給水バルブでリム用洗浄水タンク及びジェット用洗浄水タンクの水位を設定することができる。
【００１３】
また、本発明は、洗浄水タンクから洗浄水を給水するローシルエット形の水洗大便器であって、洗浄水を吐出させるジェット孔がその底部に形成されたボール部と、ジェット孔から給水すべき洗浄水を貯水するジェット用洗浄水タンクと、このジェット用洗浄水タンクに設けられ、ジェット孔への洗浄水の供給と止水とを行うジェット用排水弁と、このジェット用排水弁を通過した洗浄水をジェット孔に導くジェット用導水路と、ボール部の上部に棚状の水路として形成され、洗浄水をボール部に旋回させながら流下させるリム部と、リム部に供給される洗浄水を貯水するリム用洗浄水タンクと、このリム用洗浄水タンクに設けられ、リム部への洗浄水の供給と止水とを行うリム用排水弁と、このリム用排水弁を通過した洗浄水を分岐させ、リム部の第１リム吐水口及び第２リム吐水口に導くリム用導水路と、を有し、ジェット用排水弁は、リム部上面の高さよりも低く、ジェット孔よりも高い位置に配置されており、さらに、ジェット用洗浄水タンク内の水位がリム部上面の高さよりも低く設定された所定の水位になったとき給水を停止するように構成された給水バルブを有し、ジェット用排水弁が、所定の水位よりも低い位置に配置されていることを特徴としている。
【００１４】
このように構成された本発明によれば、ジェット用洗浄水タンクをリム部上面よりも低い位置にも配置することができるので、リム部上面よりも下の空間をジェット用洗浄水タンクとして利用することが可能となる。このため、ローシルエット形の水洗大便器を容易に実現することが可能になる。
【００１５】
また、本発明は、洗浄水タンクから洗浄水を給水するローシルエット形の水洗大便器であって、洗浄水を吐出させるジェット孔がその底部に形成されたボール部と、ジェット孔から給水すべき洗浄水を貯水するジェット用洗浄水タンクと、このジェット用洗浄水タンクに設けられ、ジェット孔への洗浄水の供給と止水とを行うジェット用排水弁と、このジェット用排水弁を通過した洗浄水をジェット孔に導くジェット用導水路と、ボール部の上部に棚状の水路として形成され、洗浄水をボール部に旋回させながら流下させるリム部と、リム部に供給される洗浄水を貯水するリム用洗浄水タンクと、このリム用洗浄水タンクに設けられ、リム部への洗浄水の供給と止水とを行うリム用排水弁と、このリム用排水弁を通過した洗浄水を分岐させ、リム部の第１リム吐水口及び第２リム吐水口に導くリム用導水路と、を有し、ジェット用排水弁は、リム部上面の高さよりも低く、ジェット孔よりも高い位置に配置されており、さらに、リム用洗浄水タンクの水位が所定の貯水高さよりも高くなったとき、所定の貯水高さを超えた分の洗浄水をリム用洗浄水タンクからジェット用洗浄水タンクに洗浄水を移送する移送手段と、リム用洗浄水タンクに給水を行い、ジェット用洗浄水タンクの水位が、リム用洗浄水タンクの貯水高さよりも低い位置に設定された所定の水位になったとき給水を停止するように構成された給水バルブと、を有することを特徴としている。
【００１７】  本発明において、好ましくは、リム用洗浄水タンクはジェット用洗浄水タンクよりも高い位置に配置され、移送手段はリム用洗浄水タンクの貯水高さに形成された切欠であり、この切欠から溢れ出た洗浄水が上記ジェット用洗浄水タンクに流入する。【００１８】  このように構成された本発明においては、洗浄水は、給水バルブを介してリム用洗浄水タンクに供給され、リム用洗浄水タンク内の水位が上昇して所定の貯水高さよりも水位が高くなると、洗浄水は、切欠を通ってリム用洗浄水タンクに溢れ出す。【００１９】  このように構成された本発明によれば、容易に形成することができる切欠により、リム用洗浄水タンク内洗浄水をジェット用洗浄水タンクに移送することができると共に、リム用洗浄水タンクの貯水高さを正確に設定することができる。【００２０】  本発明において、好ましくは、ジェット用洗浄水タンク、及びリム用洗浄水タンクは、ボール部、ジェット用導水路、リム部、及びリム用導水路と共に陶器で一体に構成されている。
このように構成された本発明によれば、リム用洗浄水タンク及びジェット用洗浄水タンクを安価に形成することができる。【００２１】  本発明において、好ましくは、ジェット用洗浄水タンクは陶器で構成され、リム用洗浄水タンクは樹脂で構成されている。
このように構成された本発明によれば、リム用洗浄水タンクは別体として形成されるので、ジェット用洗浄水タンクに取り付けるべき部品を取り付けた後に、リム用洗浄水タンクを配置することができるので、水洗大便器の組立性を向上させることができる。
【発明の効果】
【００２２】  本発明の水洗大便器によれば、洗浄水タンクからのジェット孔への給水量とリム部への給水量を独立に制御することができる。
【発明を実施するための最良の形態】
【００２３】  次に、添付図面を参照して、本発明の実施形態の水洗大便器を説明する。
まず、図１乃至図３を参照して、本発明の第１実施形態の水洗大便器を説明する。図１は本発明の第１実施形態の水洗大便器の上面図を示す。図２（ａ）は図１の２ａ−２ａ線に沿って切断された側面断面図を示し、図２（ｂ）は図１の２ｂ−２ｂ線に沿って切断された側面断面図を示す。【００２４】  図１及び図２に示すように、本発明の第１実施形態の水洗大便器１は、ボール部２と、このボール部２の上端の周囲に形成されたリム部４と、ボール部２の底部に形成されたジェット孔６と、ボール部２の底部に連通し、排水配管に接続されるトラップ管路７と、を有する。さらに、水洗大便器１は、リム部４に給水する洗浄水を溜めるリム用洗浄水タンク８と、ジェット孔６に給水する洗浄水を溜めるジェット用洗浄水タンク１０と、リム用洗浄水タンク８に設けられたリム用排水弁１２と、ジェット用洗浄水タンク１０に設けられたジェット用排水弁１４と、を有する。また、水洗大便器１は、リム用洗浄水タンク８内の洗浄水をリム部４に導くリム用導水路１６と、ジェット用洗浄水タンク１０内の洗浄水をジェット孔６に導くジェット用導水路１８と、を有する。また、本実施形態において、ボール部２、リム部４、ジェット孔６、トラップ管路７、リム用洗浄水タンク８、ジェット用洗浄水タンク１４、リム用導水路１６、及びジェット用導水路１８は、陶器で成形されている。【００２５】  ボール部２は、水洗大便器１の前方部分に形成されており、その上端開口部の周囲にはリム部４が形成され、底部には、水洗大便器１の後方に向けてジェット孔６が形成されている。また、ボール部２の底部の、ジェット孔６の向かい側には、トラップ管路７が接続されている。【００２６】  リム部４は、ボール部２の上端開口部の周囲に、棚状の水路として形成されている。リム部４は、給水された洗浄水が、棚状の水路を通って旋回しながら少しずつ下方のボール部２の中へ流れ込み、ボール部２の側壁全体を洗浄しながらボール部２の底部に流れ落ちるように構成されている。なお、本明細書においてリム部とは、本実施形態のような、ボール部の中に旋回流を起こしてボール部を洗浄する棚状の水路、或いは、ボール部の周囲に形成された箱状の通水路の底壁面に多数の射水孔を設けた所謂ボックスリム等、上方から洗浄水を流してボール部を洗浄する種々の構造を意味するものとする。また、リム部上面とはリム部の上側の端面であり、その高さＬ１以上にボール部内の水位が上昇するとボール部から洗浄水が溢れ出す面を意味するものとする。【００２７】  トラップ管路７は、ボール部２の底部と連通し、ボール部２から後方へ延びるように構成されている。トラップ管路７は、ボール部２の底部から斜め上方に延び、トラップ管路７の最高点である高さＬ２のトラップ頂部７ａを通って、鉛直下方に延びている。トラップ管路７の出口は、床面に設けられた排水配管（図示せず）に接続される。【００２８】  リム用洗浄水タンク８は、水洗大便器１の後方に形成されている。リム用洗浄水タンク８は、その底面がリム部４の棚状の面よりも高い位置に配置されている。リム用洗浄水タンク８の底面には、リム用排水弁１２が設けられている。リム用排水弁１２の下側には、リム用導水路１６が形成されてお��、リム用排水弁１２を通過した洗浄水はリム用導水路１６に流入する。リム用導水路１６は、リム用洗浄水タンク８の下部から、ボール部２に向って前方へほぼ水平に延び、ボール部２の縁部付近で左右に分岐するように形成されている。分岐した一方のリム用導水路１６は第１リム吐水口１６ａに連通し、他方のリム用導水路１６は第２リム吐水口１６ｂに連通している。第１リム吐水口１６ａは、ボール部２の側部に、前方に向けて開口しており、第２リム吐水口１６ｂは、第１リム吐水口１６ａとは反対側のボール部２の側部後方に、後方に向けて開口している。【００２９】  ジェット用洗浄水タンク１０は、水洗大便器１の後方に、リム用洗浄水タンク８よりも大きく形成されている。ジェット用洗浄水タンク１０は、その底面がリム部４の棚状の面よりも高い位置に配置されている。ジェット用排水弁１４が、ジェット用洗浄水タンク１０の底面に設けられており、このジェット用排水弁１４は、リム用排水弁１２よりも大きく形成されている。ジェット用排水弁１４の下側には、ジェット用導水路１８が形成されており、ジェット用排水弁１４を通過した洗浄水はジェット用導水路１８に流入し、ジェット孔６から吐水される。ジェット用導水路１８は、ジェット用排水弁１４の下部から前方に向けて斜め下方に延び、後方に向けて開口したジェット孔６にＵターンして連通するように形成されている。【００３０】  また、リム用排水弁１２及びジェット用排水弁１４には、玉鎖１２ａ、１４ａが夫々接続されている。水洗大便器１の使用者が洗浄操作を行うと、排水弁操作機構（図示せず）によって玉鎖１２ａ、１４ａが上方に引き上げられ、リム用排水弁１２及びジェット用排水弁１４が夫々開放されるように構成されている。【００３１】  次に、図１乃至図３を参照して、本発明の第１実施形態の水洗大便器１の作用を説明する。図３は、水洗大便器１の使用者が洗浄操作を行ったときに、リム用排水弁１２及びジェット用排水弁１４が開放されるタイミングを示すグラフである。【００３２】  まず、洗浄操作を行っていない状態においては、図２（ａ）（ｂ）に示すように、水洗大便器１のボール部２には、トラップ管路７のトラップ頂部７ａの高さまで、洗浄水が溜まっている。また、リム用洗浄水タンク８及びジェット用洗浄水タンク１０には、所定の水位まで洗浄水が貯水されている。次に、水洗大便器１の使用者が洗浄操作を行うと、排水弁操作機構（図示せず）によって各排水弁に連結された玉鎖１２ａ、１４ａが夫々上方に引き上げられ、これによりリム用排水弁１２及びジェット用排水弁１４も上方に引き上げられて各排水弁が開放される。ここで、ジェット用排水弁１４に接続されている玉鎖１４ａは、リム用排水弁１２に接続されている玉鎖１２ａよりも長くされている。このため、洗浄操作によって玉鎖１２ａ、１４ａを同時に引き上げると、図３に示すように、まずリム用排水弁１２が開放され、少し遅れてジェット用排水弁１４が開放される。【００３３】  まず、リム用排水弁１２が開放されると、洗浄水がリム用洗浄水タンク８からリム用導水路１６に流入し、第１リム吐水口１６ａ及び第２リム吐水口１６ｂから夫々吐水される。第１リム吐水口１６ａ及び第２リム吐水口���６ｂから夫々吐水された洗浄水は、リム部４を伝わりながらボール部２内を旋回し、ボール部２の壁面を洗浄しながらボール部２の底部に流れ込む。リム部４からの洗浄水の流れによって、ボール部２の溜水に浮遊していた汚物等がボール部２の中央部に集められる。【００３４】  リム用排水弁１２の開放から少し遅れてジェット用排水弁１４が開放されると、ジェット用洗浄水タンク１０内の洗浄水が、ジェット用導水路１８に流入し、ジェット孔６から吐出される。リム部４及びジェット孔６からボール部２に洗浄水が流入し、ボール部２内の水位が上昇すると、洗浄水はトラップ管路７のトラップ頂部７ａを越えて排水管路（図示せず）の方に排出される。この流れによってトラップ管路７内に洗浄水が充満するとサイホン作用によってボール部２内の洗浄水がトラップ管路７の方に吸引される。これにより、ボール部２の底部に沈んでいた汚物及びボール部２の中央部に集められた浮遊汚物が洗浄水と共に吸引され、トラップ管路７を通って排水配管（図示せず）に排出される。【００３５】  リム用洗浄水タンク８内の洗浄水が、開放されたリム用排水弁１２を通って排水され、リム用導水路１６内の洗浄水もなくなると、リム用排水弁１２に浮力が働かなくなるので、図３に示すように、重力によりリム用排水弁１２が閉鎖される。次いで、ジェット用洗浄水タンク１０内の洗浄水が、開放されたジェット用排水弁１４を通って排水されると、ジェット用排水弁１４も閉鎖される。本実施形態においては、ジェット用洗浄水タンク１０がリム用洗浄水タンク８よりも大きく形成されており、ジェット用洗浄水タンク１０内の洗浄水が排出されるのに長い時間を要するので、図３に示すように、ジェット用排水弁１４はリム用排水弁１２よりも長い時間開放された後、閉鎖される。【００３６】  サイホン作用の終了後、ジェット孔６及びリム部４からボール部２に流入した洗浄水によりボール部２内の水位が上昇し、図２に示す初期の水位に復帰する。また、リム用洗浄水タンク８及びジェット用洗浄水タンク１０には、夫々、給水バルブ（図示せず）を介して新たな洗浄水が水道から供給され、リム用洗浄水タンク８内の水位及びジェット用洗浄水タンク１０内の水位が夫々所定の水位に達すると給水バルブが閉鎖されて１回の洗浄作用が終了する。【００３７】  本発明の第１実施形態の水洗大便器１によれば、リム給水用のリム用洗浄水タンクとジェット給水用のジェット用洗浄水タンクが独立して設けられているので、リム部から吐水される水量とジェット孔から吐水される水量を、自由に設定することが可能になる。これにより、水洗大便器本体の特性に合わせてより効果的に洗浄を行えるように、各排水弁を開放するタイミングや、リム部及びジェット孔からの洗浄水の時間当たりの流量、洗浄水吐出の持続時間を自由に設定することが可能になり、無駄な水量を使わずに効率の良い洗浄が可能となる。【００３８】  次に、図４及び図５を参照して、本発明の第２実施形態の水洗大便器を説明する。本発明の第２実施形態の水洗大便器は、ジェット用洗浄水タンク、リム用洗浄水タンク及びそれらに夫々設けられた各排水弁の配置が、第１実施形態とは異なる。従ってここでは、本実施形態の水洗大便器の、第１実施形態とは異なる点のみを説明し、同様の構成を有する部分については同一の符号を付して説明を省略する。【００３９】  図４は本発明の第２実施形態の水洗大便器の上面図であり、図５は図４のＶ−Ｖ線に沿って切断された断面図である。図４及び図５に示すように、本発明の第２実施形態の水洗大便器２０は、ボール部２と、リム部４と、ジェット孔６と、トラップ管路７と、を有する。さらに、水洗大便器２０は、リム部４に給水する洗浄水を溜めるリム用洗浄水タンク２２と、ジェット孔６に給水する洗浄水を溜めるジェット用洗浄水タンク２４と、リム用洗浄水タンク２２に設けられたリム用排水弁１２と、ジェット用洗浄水タンク２４に設けられたジェット用排水弁１４と、を有する。また、水洗大便器２０は、リム用洗浄水タンク２２内の洗浄水をリム部４に導くリム用導水路１６と、ジェット用洗浄水タンク２４内の洗浄水をジェット孔６に導くジェット用導水路１８と、を有する。また、本実施形態において、ボール部２、リム部４、ジェット孔６、トラップ管路７、リム用洗浄水タンク２２、ジェット用洗浄水タンク２４、リム用導水路１６、及びジェット用導水路１８は、陶器で一体成形されている。【００４０】  リム用洗浄水タンク２２は、水洗大便器２０の後方、中央部に形成されている。リム用洗浄水タンク２２は、その底面がリム部４の上面の高さＬ１とほぼ等しい高さに配置されている。リム用洗浄水タンク２２の底面には、高さＬ１よりも僅かに高い位置にリム用排水弁１２が設けられている。リム用排水弁１２の下側には、リム用導水路１６が形成されており、リム用排水弁１２を通過した洗浄水はリム用導水路１６に流入する。リム用導水路１６は、リム用洗浄水タンク２２の下部から、ボール部２に向って前方へほぼ水平に延び、ボール部２の縁部付近で左右に分岐するように形成されている。分岐した一方のリム用導水路１６は第１リム吐水口１６ａに連通し、他方のリム用導水路１６は第２リム吐水口１６ｂに連通している。【００４１】  ジェット用洗浄水タンク２４は、水洗大便器２０の後方、リム用洗浄水タンク２２の下方に配置されている。ジェット用洗浄水タンク２４の容量は、リム用洗浄水タンク２２よりも大きく形成されている。ジェット用排水弁１４が、ジェット用洗浄水タンク２４内に設けられ、このジェット用排水弁１４は、高さＬ１よりも低く、トラップ管路７のトラップ頂部の高さＬ２よりも高い位置に配置されている。また、ジェット用排水弁１４は、ジェット孔６に大きな瞬間流量の洗浄水を供給するために、リム用排水弁１２よりも大きく形成されている。ジェット用排水弁１４の下側には、ジェット用導水路１８が形成されており、ジェット用排水弁１４を通過した洗浄水はジェット用導水路１８に流入し、ジェット孔６から吐水される。【００４２】  また、リム用洗浄水タンク２２の内部には、リムタンク用給水バルブ２５が配置されている。このリムタンク用給水バルブ２５は、リム用洗浄水タンク２２内の水位が所定の水位に達するまで、洗浄水をリム用洗浄水タンク２２に供給するように構成されている。さらに、ジェット用洗浄水タンク２４の内部には、ジェットタンク用給水バルブ２６が配置されている。このジェットタン���用給水バルブ２６は、ジェット用洗浄水タンク２４内の水位が、リム部４の上面の高さＬ１よりも低く設定されている所定の水位に達するまで、洗浄水をジェット用洗浄水タンク２４に供給するように構成されている。【００４３】  また、ジェット用洗浄水タンク２４の上部側面には、使用者が洗浄操作を行うための操作ハンドル２８ａが回動可能に取り付けられている。さらに、ジェット用洗浄水タンク２４の上部には、クランク状に折り曲げられたシャフト２８ｂが、ジェット用洗浄水タンク２４を横断するように回動自在に取り付けられている。操作ハンドル２８ａ及びシャフト２８ｂは、使用者が操作ハンドル２８ａを回動操作すると、シャフト２８ｂも回動されるように形成されており、これらは排水弁操作機構を構成する。【００４４】  また、リム用排水弁１２及びジェット用排水弁１４には、玉鎖１２ａ、１４ａが夫々接続されている。これらの玉鎖１２ａ、１４ａの他方の端は、ジェット用洗浄水タンク２４の上部に配置されたシャフト２８ｂのクランク部に接続されている。このため、シャフト２８ｂが回動操作されると、玉鎖１２ａ、１４ａが上方に引き上げられ、リム用排水弁１２及びジェット用排水弁１４が夫々開放されるようになっている。【００４５】  さらに、リム用排水弁１２及びジェット用排水弁１４に隣接して、オーバーフロー管１２ｂ、１４ｂが設けられている。これにより、給水バルブ等のトラブルによりリム用洗浄水タンク２２又はジェット用洗浄水タンク２４内の水位が所定の設定水位よりも高くなった場合、タンク内の洗浄水は、各排水弁をバイパスし、オーバーフロー管１２ｂ、１４ｂを通ってボール部２の中に排出される。【００４６】  次に、本発明の第２実施形態の水洗大便器２０の作用を説明する。
まず、洗浄操作を行っていない状態においては、水洗大便器２０のボール部２には、トラップ管路７のトラップ頂部７ａの高さＬ２まで、洗浄水が溜まっている。また、リム用洗浄水タンク２２及びジェット用洗浄水タンク２４には、所定の水位まで洗浄水が貯水されている。次に、水洗大便器２０の使用者が操作ハンドル２８ａを回動させ、洗浄操作を行うと、シャフト２８ｂも回動される。シャフト２８ｂが回動されると、シャフト２８ｂに連結された玉鎖１２ａ、１４ａが夫々上方に引き上げられ、これによりリム用排水弁１２及びジェット用排水弁１４も上方に引き上げられて各排水弁が開放される。各排水弁が開放されるタイミングは、玉鎖１２ａ、１４ａの長さ、及びシャフト２８ｂに形成されたクランク部の長さ、角度によって任意に設定することができる。【００４７】  リム用排水弁１２及びジェット用排水弁１４が開放された後の、ボール部の洗浄作用は第１実施形態と同様であるので説明を省略する。【００４８】  洗浄作用終了後、リム用洗浄水タンク２２及びジェット用洗浄水タンク２４には、給水バルブ２５、２６を介して夫々新たな洗浄水が水道から供給され、リム用洗浄水タンク２２内の水位及びジェット用洗浄水タンク２４内の水位が夫々所定の水位に達すると各給水バルブが閉鎖されて１回の洗浄作用が終了する。【００４９】  リム用洗浄水タンク２２及びリム用排水弁１２は、第１リム吐水口１６ａ及び第２リム吐水口１６ｂよりも高い位置に配置されているため、各リム吐水口とリム用洗浄水タンク２２内の水位との間のヘッド差に応じた水圧で、リム用洗浄水タンク２２の洗浄水が各リム吐水口から吐水される。また、リム用排水弁１２は、リム部上面の高さＬ１よりも高い位置に配置されているため、何らかの原因によりボール部２内の洗浄水の水位がリム部上面付近まで上昇した場合にも、リム用排水弁１２は確実に閉鎖される。これにより、洗浄操作の後、リム用排水弁１２が開放したままになり、リム用洗浄水タンク２２に給水された洗浄水がボール部２に流れ込んでボール部２を溢れさせることがなく、水洗大便器を設置した建築物が汚損されるのを防止することができる。【００５０】  また、ジェット用洗浄水タンク２４は、ジェット孔６よりも高い位置に配置されているため、ジェット孔６とジェット用洗浄水タンク２４内の水位との間のヘッド差に応じた水圧で、ジェット用洗浄水タンク２４内の洗浄水がジェット孔６から吐水される。さらに、ジェット用洗浄水タンク２４は、リム用洗浄水タンク２２及びリム部上面の高さＬ１よりも低い位置に配置されているので、リム部上面よりも下側の空間を洗浄水用のタンクとして活用することができ、ローシルエットタイプのタンク式水洗大便器を容易に実現することが可能になる。また、ジェット用洗浄水タンク２４に洗浄水を溜める設定水位を、リム部上面の高さＬ１よりも低い位置に設定することにより、ジェット用洗浄水タンク２４内に溜められた洗浄水が、ボール部２から溢れ出るのを防止することができ、水洗大便器を設置した建築物が汚損されることがない。【００５１】  本発明の第２実施形態によれば、リム部、ジェット孔ともタンクから洗浄水が供給されるタンク式水洗大便器において、ローシルエ��ト形の水洗大便器を容易に実現することができる。【００５２】  なお、上述した実施形態では、各排水弁を、排水弁操作機構に連結された玉鎖によって上方に引き上げて開放させていたが、変形例として、各排水弁に連結された玉鎖を電気的に駆動されるアクチュエータによって引き上げて各排水弁を開放させても良い。この構成によれは、各排水弁を開閉するタイミングを、より自由に設定することが可能になる。或いは、各排水弁として、電気的に操作される電磁弁を使用しても良い。【００５３】  次に、図６及び図７を参照して、本発明の第３実施形態の水洗大便器を説明する。本発明の第３実施形態の水洗大便器は、ジェット用洗浄水タンク、リム用洗浄水タンクへの給水機構が、第２実施形態とは異なる。従ってここでは、本実施形態の水洗大便器の、第１、第２実施形態とは異なる点のみを説明し、同様の構成を有する部分については同一の符号を付して説明を省略する。【００５４】  図６は本発明の第３実施形態の水洗大便器の上面図であり、図７は図６のＶＩＩ−ＶＩＩ線に沿って切断された断面図である。図６及び図７に示すように、本発明の第３実施形態の水洗大便器３０は、ボール部２と、リム部４と、ジェット孔６と、トラップ管路７と、を有する。さらに、水洗大便器３０は、リム部４に給水する洗浄水を溜めるリム用洗浄水タンク３２と、ジェット孔６に給水する洗浄水を溜めるジェット用洗浄水タンク３４と、リム用洗浄水タンク３２に設けられたリム用排水弁１２と、ジェット用洗浄水タンク３４に設けられたジェット用排水弁１４と、を有する。また、水洗大便器３０は、リム用洗浄水タンク３２内の洗浄水をリム部４に導くリム用導水路１６と、ジェット用洗浄水タンク３４内の洗浄水をジェット孔６に導くジェット用導水路１８と、を有する。また、本実施形態において、ボール部２、リム部４、ジェット孔６、トラップ管路７、リム用洗浄水タンク３２、ジェット用洗浄水タンク３４、リム用導水路１６、及びジェット用導水路１８は、陶器で成形されている。さらに、リム用洗浄水タンク３２には、リム用洗浄水タンク３２に給水された洗浄水を、ジェット用洗浄水タンク３４に移送する移送手段である切欠３８が形成されている。【００５５】  リム用洗浄水タンク３２は、水洗大便器３０の後方、中央部に形成されている。リム用洗浄水タンク３２は、その底面がリム部４の上面の高さＬ１とほぼ等しい高さに配置されている。リム用洗浄水タンク３２の側壁面の一方には、高さＬ３の位置に切欠３８が形成されており、リム用洗浄水タンク３２内の水位が高さＬ３よりも高くなると、リム用洗浄水タンク３２から溢れた洗浄水が切欠３８を通って下方に配置されたジェット用洗浄水タンク３４に流入するように構成されている。リム用洗浄水タンク３２の底面には、高さＬ１よりも僅かに高い位置にリム用排水弁１２が設けられている。リム用排水弁１２の下側には、リム用導水路１６が形成されており、リム用排水弁１２を通過した洗浄水はリム用導水路１６に流入する。リム用導水路１６は、リム用洗浄水タンク３２の下部から、ボール部２に向って前方へほぼ水平に延び、ボール部２の縁部付近で左右に分岐するように形成されている。分岐した一方のリム用導水路１６は第１リム吐水口１６ａに連通し、他方のリム用導水路１６は第２リム吐水口１６ｂに連通している。【００５６】  ジェット用洗浄水タンク３４は、水洗大便器３０の後方、リム用洗浄水タンク３２の下方に配置されている。ジェット用洗浄水タンク３４の容量は、リム用洗浄水タンク３２よりも大きく形成されている。ジェット用排水弁１４が、ジェット用洗浄水タンク３４の下部の、高さＬ１よりも低く、トラップ管路７のトラップ頂部の高さＬ２よりも高い位置に設けられている。このジェット用排水弁１４は、リム用排水弁１２よりも大きく形成されている。ジェット用排水弁１４の下側には、ジェット用導水路１８が形成されており、ジェット用排水弁１４を通過した洗浄水はジェット用導水路１８に流入し、ジェット孔６から吐水される。【００５７】  さらに、ジェット用洗浄水タンク３４の内部には、ジェットタンク用給水バルブ３６が配置されている。このジェットタンク用給水バルブ３６は、ジェット用洗浄水タンク３４内の水位が、リム部４の上面の高さＬ１よりも低く設定されている所定の水位Ｌ４に達するまで、洗浄水を供給するように構成されている。ジェットタンク用給水バルブ３６には、ジェット用洗浄水タンク３４を横断するように、リム用洗浄水タンク３２の上方に延びる給水管４０が接続されている。ジェットタンク用給水バルブ３６を通過した洗浄水は、給水管４０を通ってリム用洗浄水タンク３２の上方に達し、給水管４０の流出口４０ａからリム用洗浄水タンク３２内に流入する。【００５８】  次に、本発明の第３実施形態の水洗大便器３０の作用を説明する。
まず、洗浄操作を行っていない状態においては、水洗大便器３０のボール部２には、トラップ管路７のトラップ頂部７ａの高さＬ２まで、洗浄水が溜まっている。また、リム用洗浄水タンク３２には高さＬ３まで、ジェット用洗浄水タンク３４には高さＬ４の水位まで、洗浄水が貯水されている。次に、水洗大便器３０の使用者が洗浄操作を行うと、排水弁操作機構（図示せず）が玉鎖１２ａ、１４ａを夫々上方に引き上げ、各排水弁が開放される。各排水弁が開放されるタイミングは、玉鎖１２ａ、１４ａの長さ、及び排水弁操作機構によって任意に設定することができる。【００５９】  リム用排水弁１２及びジェット用排水弁１４が開放された後の、ボール部の洗浄作用は第１実施形態と同様であるので説明を省略する。【００６０】  次に、各タンクに対する給水について説明する。
ジェット用排水弁１４が開放され、ジェット用洗浄水タンク３４内の水位が低下すると、ジェットタンク用給水バルブ３６に備えられたフロート３６ａが下方に下がり、ジェットタンク用給水バルブ３６が開いて給水が開始される。ジェットタンク用給水バルブ３６が開くと、水道から供給された洗浄水は、給水管４０を通って給水管４０の流出口４０ａから流出し、リム用洗浄水タンク３２の中に流入する。水道から供給された洗浄水は、まずリム用洗浄水タンク３２に流入するので、この時点では、ジェット用洗浄水タンク３４への給水は行われず、ジェット用洗浄水タンク３４の水位は上昇しない。リム用洗浄水タンク３２内の水位が上昇し、高さＬ３に達すると、洗浄水は切欠３８から溢れ出て、リム用洗浄水タンク３２の下方に配置されたジェット用洗浄水タンク３４に洗浄水が流入する。洗浄水がジェット用洗浄水タンク３４に流入し始めると、ジェット用洗浄水タンク３４内の水位も上昇し始め、これに伴いジェットタンク用給水バルブ３６のフロート３６ａも上方に移動する。ジェット用洗浄水タンク３４の水位が上昇し、高さＬ４に達すると、ジェットタンク用給水バルブ３６が閉鎖され、水道からの洗浄水の供給が停止され、１回の洗浄作用が終了する。【００６１】  また、ジェットタンク用給水バルブ３６を介して洗浄水が供給されている間、給水管４０を通る洗浄水のうちの一部は、流出口４０ａから流出せずに、給水管４０の延長部４０ｂに達してオーバーフロー管１４ｂの中に排出される。オーバーフロー管１４ｂに入った洗浄水は、ジェット用排水弁１４をバイパスしてジェット孔６からボール部２に流入する。この洗浄水は、各排水弁が閉鎖された後、ボール部２の中の水位を高さＬ２に復帰させるために利用される。【００６２】  本発明の第３実施形態の水洗大便器によれば、リム用洗浄水タンク及びジェット用洗浄水タンクの水位を、１つの給水バルブで所定の水位に設定することができる。また、本実施形態の水洗大便器では、リム用洗浄水タンク内の水位が、移送手段である切欠によって設定されるので、給水弁のフロートの調整等を必要とすることなく、正確に設定水位まで洗浄水を貯水することができる。【００６３】  また、上述した実施形態では、リム用洗浄水タンク及びジェット用洗浄水タンクは陶器で形成されていたが、変形例として、リム用洗浄水タンク及び／又はジェット用洗浄水タンクを樹脂で形成しても良い。例えば、図８Ａ、図８Ｂ及び図８Ｃに示す水洗大便器５０では、ジェット用洗浄水タンク３４を陶器で形成し、リム用洗浄水タンク４２を樹脂で形成している。このように構成することにより、ジェット用洗浄水タンク３４内にジェット用排水弁１４や給水バルブ３６をセットした後に、リム用洗浄水タンク４２を取り付けることができるので、水洗大便器５０の組立性を向上させることができる。【００６４】  さらに、上述した第３実施形態では、リム用洗浄水タンクをジェット用洗浄水タンクの真上に配置し、リム用洗浄水タンクに設けた切欠を移送手段として利用していたが、変形例として、移送手段を、リム用洗浄水タンクの側壁の所定の高さに連通するように取り付けたパイプ状の部材で構成することもできる。この構成においては、リム用洗���水タンク内の水位が、パイプ状の部材が取り付けられている高さよりも高くなると、洗浄水はパイプ状の部材の中を通ってジェット用洗浄水タンクに流入する。この構成では、パイプ状の部材の先端をジェット用洗浄水タンクに延ばすことにより、リム用洗浄水タンクをジェット用洗浄水タンクの真上以外の位置に配置することも可能になる。
【図面の簡単な説明】
【００６５】［図１］本発明の第１実施形態の水洗大便器の上面図である。
［図２］（ａ）は図１の２ａ−２ａ線に沿って切断された側面断面図であり、（ｂ）は図１の２ｂ−２ｂ線に沿って切断された側面断面図である。
［図３］洗浄操作を行った際のリム用排水弁及びジェット用排水弁が開放されるタイミングを示すグラフである。
［図４］本発明の第２実施形態の水洗大便器の上面図である。
［図５］図４のＶ−Ｖ線に沿って切断された断面図である。
［図６］本発明の第３実施形態の水洗大便器の上面図である。
［図７］図６のＶＩＩ−ＶＩＩ線に沿って切断された断面図である。
［図８Ａ］本発明の第３実施形態の水洗大便器の変形例を示す上面図である。
［図８Ｂ］本発明の第３実施形態の水洗大便器の変形例を示す側面断面図である。
［図８Ｃ］本発明の第３実施形態の水洗大便器の変形例を示す正面断面図である。
【符号の説明】
【００６６】  １      本発明の第１実施形態の水洗大便器
２      ボール部
４      リム部
６      ジェット孔
７      トラップ管路
８      リム用洗浄水タンク
１０    ジェット用洗浄水タンク
１２    リム用排水弁
１４    ジェット用排水弁
１６    リム用導水路
１８    ジェット用導水路
２０    本発明の第２実施形態の水洗大便器
２２    リム用洗浄水タンク
２４    ジェット用洗浄水タンク
２５    リムタンク用給水バルブ
２６    ジェットタンク用給水バルブ
２８ａ  操作ハンドル
２８ｂ  シャフト
３０    本発明の第３実施形態の水洗大便器
３２    リム用洗浄水タンク
３４    ジェット用洗浄水タンク
３６    ジェットタンク用給水バルブ
３８    切欠
４０    給水管
【図１】
0004218069.tif 000002
【図２】
0004218069.tif 000003
【図３】
0004218069.tif 000004
【図４】
0004218069.tif 000005
【図５】
0004218069.tif 000006
【図６】
0004218069.tif 000007
【図７】
0004218069.tif 000008
0004218069.tif 000009
0004218069.tif 000010
0004218069.tif 000011